(57)【特許請求の範囲】
【請求項１】
パネルの開口部（２）にロック（３）を用いて同面取付するように設計された取付具（１）用の締め付け装置であって、前記ロック（３）は前記取付具に適合するベース（３１）、圧縮ばね（３３）および（３４）の作用下でパネルと接触する摺動ピストン（３２）とを備え、前記ピストン（３２）は、前記ベース上でスロット（３１１および３１２）に適合するクリックフィット押圧片（３２１および３２２）を備え、これにより前記ピストンは停止位置においてベース上で締め付けられ、前記ロックが解除されるときには前記ピストン（３２）は解放されることを特徴とする締め付け装置。
【請求項２】
請求項１の締め付け装置において、前記ベースは前記取付具に取り付けるのに使用される一つの面上に少なくとも１つの第１のフック（３１３），および前記取付具を取り付けるのに代替的に用いられる他の面上に少なくとも１つの第２のフック（３１４）を備え、前記第１のフックおよび第２のフックは前記ピストンが摺動するＸ−Ｘ’軸に関して異なる高さで位置していることを特徴とする締め付け装置。
【請求項３】
請求項１または２に記載の締め付け装置において、前記ピストン（３２）の中央部は、前記ベースの対応するガイドハウジング（３１７）にはまるとともに、沿って摺動するほぞ（３２３）を有し、および前記押圧片（３２１および３２２）の動作時に終端する側面上の２つの弾性片と係合することを特徴とする締め付け装置。
【請求項４】
請求項１ないし３のいずれかに記載の締め付け装置において、前記ピストンのベースに関する外部への動きはシェル中に形成される突起（３２７）上で制限停止することにより制限されることを特徴とする締め付け装置。
【請求項５】
請求項１ないし４のいずれかに記載の締め付け装置において、前記ベースはばね（３１５および３１６）の中央位置決めを行う２つの突起（３１５および３１６）を有するとともに、ピストン（３２）はこれらのばねの中央位置決めを行う２つの突起（３２５および３２６）を備えたことを特徴とする締め付け装置。
【発明の詳細な説明】
本発明は、パネル開口部に同面取付されるように設計された取付具用締め付け装置に関し、この締め付け装置はそれぞれが取付具上に適合する基板と圧縮ばねの作用のもとでパネルに接触する移動ピストンとを備えたロックを用いる。
この締め付け装置はパネルウィンドウ内でハウジングの背面のみが外側から見えるように電気的あるいは電子的備品（例えば制御および／またはディスプレイ装置）用のハウジングの同面取付に特に適用される。
このハウジング本体はその断面が、それが適合される窓の断面とほぼ等しく、ハウジング限界停止位置でストッパとして働く周辺リム、および第２にはハウジングとパネル間の接続部を隠すジョイントカバーを有している。
ハウジングが同面取付位置にあるときにパネル上にロックするための多くの解決案が提案されてきた。フランス特許２７１８１９８号は、締め付けベース板および締め付け底板のみに押しつけるように作動する摺動押圧片より成る弾性体ロックを利用したロック装置を記述する。締め付け底板は取付具のハウジングの側壁に当接され、これに対しスラスタはパネルの裏面に押しつけられる。
本発明の目的は、特別な工具を一切必要とすることなく単に指で押すだけで容易にロックされるロック装置を提案することである。このようなロック装置は異なる同面取付パネル厚さに適合させることができる。
本発明によるロック装置は、ピストンがベース中のスロットに係合するクリックフィット押圧片を有しており、ピストンは停止位置でベースに押しつけられ、ロックが解除されたときにはピストンが解放される。
本発明は次の添付図面を参照して、限定されない例として与えられた実施例を参照して説明される。
図１は同面取付型の取付具および締め付けロックの一つを示す斜視図。
図２は同面取付位置における取付具と締め付けロックの一つを示す斜視図。
図３は締め付けロックの分解斜視図。
図４はロックの軸断面図。
図５は図４中のIV-IV線に沿ったロックのロック位置における断面図。
本発明の締め付け装置は、同面取付型の電気的あるいは電子的取付具１をパネル２中の窓で締め付けロック３により取り付ける。例えば、この取付具は端子や制御およびディスプレイ部品（図示せず）であり得、これらはフロントパネル上に設けることができる。
各弾性的ロック３は取付具に取り付けられたベース３１と、パネルに接触する摺動ピストンと、これらの２つの部品間にはめ込まれた圧縮ばね３３、３４により構成される。
貝殻状のベース３１はピストン３２のハウジングとして使用される。その中央部には、ピストン２をガイドする貫通しない穴ぐり３１７を備え、その側面には２つのスロット３１１および３１２を有している。ベースはその一方の側面に２つの第１のフック３１３および、反対側に２つの第２のフック３１４を押圧片の接触表面に近接して設けられ、これらの第１および第２のフックは取付具の取り付けに交互に使用される。これらの異なるフックの役割については後述する。
ピストン２の中央部においては、関連するハウジング３１７に適合し、それに沿って摺動するガイドほぞ３２３と、停止位置においてピストンを取り付け、ロックを発生させる押圧片３２１および３２２を作動させることにより終端する側面上の２つの弾性片を有している。図４中の停止位置には、押圧片３２１および３２２はスロット３１１および３１２と同一平面で、これらのスロットのエッジで固定される。
ピストン２はシェル３１の内面を摺動し、押圧片３２１および３２２がピストンを解放するために指の間で圧迫されるとすぐ、そのシェルの外側をばねの影響下で移動する。押圧片はこれらの押圧片が適合している弾性片の弾性のためにスロットのエッジから押し込められ、あるいは解放される。
ピストンのベース１から外への動きは、シェル内に形成された突起３２７により止められる押圧片３２１および３２２により制限される。
２つの突起３１５および３１６はばねを中央位置合わせするため、シェルの内側に形成される。同様に、２つの突起３２５および３２６はばねの中央位置合わせのため、ピストン３２上に形成される。
同面取付具１はスロット１１を有しており、その各辺にロックが取り付けられる。２つのフック３１３および３１４はロック３が同面取付具の一方の辺でロック３を取り付けるように２つのスロット１１と係合する。
図５を参照すると、第１のフック３１３および第２のフック３１４はピストンが摺動するＸ−Ｘ’軸に関して異なる高さとなっていることに着目すべきである。
動作を説明する。
取付具１はその種々のロックなしにパネル２中の開口部に係合しており、取付具のエッジ１２はパネルの正面上で停止している。
取付具１がパネル２内に同面取付された後、ロック３はフック３１３あるいは３１４と係合することにより、スロット１１の所定位置に置かれる。図５に示されるこの位置では、ロック３は取付具１にフック３１４により組み立てられ、同面取付型金具と強固に接合されているという事実により傾くことはない。
組立の状態では、ロック３は残りの位置にあり、ピストン３２はそれぞれのシェル中に待避している。
押圧片３２１および３２２を２本の指の間で圧迫し、これらの押圧片が適合する可撓性片は曲げられ、ピストン３２は解放される。ピストンはばね３３および３４の作用のもとでシェルの外側に向かって移動することができる。押圧片の正面はパネル２の裏面と接触するようになる。最終的に、図２およぴ図５に示されるロック位置を占めることになる。
ロック３を解除し、取付具１を解放するのに必要なすべてのことはピストン３２を押圧片３２１および３２２がスロット３１２および３１３に適合するまでピストン３２をそれらのシェル３１に待避させておくことである。
本発明の範囲を逸脱することなく、変形例や詳細部分の改良を想定することおよび均等手段の使用を考慮する事が可能である。
【図１】
0003833270.tif 000002
【図２】
0003833270.tif 000003
【図３】
0003833270.tif 000004
【図４】
0003833270.tif 000005
【図５】
0003833270.tif 000006